(57)【要約】【課題】遊泳中の魚を捕獲する際、可能な限り魚に気付かれない状態にて捕獲を実現し、しかも捕獲した際、可能な限り魚の身体表面の鱗などを損傷しないような魚捕獲用器具の構成を提供すること。【解決手段】黒色の枠２に黒色の網１を結合した魚捕獲用器具であって、前記網１は、折り曲げ自在の糸を素材とすることによって、枠２から垂下することが可能であり、かつ六角形状を構成単位としていることに基づき、魚を効率的に、しかもできるだけ損傷の少ない状態にて捕獲することを可能とする魚捕獲用器具。【選択図】図３
0003123392.tif 000002
【実用新案登録請求の範囲】
【請求項１】
黒色の枠に黒色の網を結合した魚捕獲用器具であって、前記網は、折り曲げ自在の糸を素材とすることによって、枠から垂下することが可能であり、かつ六角形状を構成単位としていることに基づく魚捕獲用器具。
【請求項２】
枠と接続し、かつ使用者が把持する取手が黒色であることを特徴とする請求項１記載の魚捕獲用器具。
【請求項３】
枠、又は枠及び取っ手において、網が垂下した状態となる下方から上方の位置となるに従って、順次左右方向断面が広幅から狭幅となるように形成されることを特徴とする請求項１、２記載の魚捕獲用器具。
【請求項４】
取手の一部領域又は全領域において、網が垂下し得る下側面の内側に窪んだ凹部を設け、かつ当該凹部に充満した空気によって、器具全体が水中において浮上し得ることを特徴とする請求項１、２、３記載の魚捕獲用器具。
【考案の詳細な説明】
【技術分野】
【０００１】
本考案は、水槽、池などにおいて、遊泳している魚を捕獲するための器具に関するものである。
【背景技術】
【０００２】
遊泳している魚を掬い上げるための網を有している捕獲用器具は、巷において使用されている。
【０００３】
しかしながら、従来の捕獲用器具においては、魚にとって捕獲されることを可能な限り気付かれずに、しかも捕獲に際し、魚の身体を可能な限り傷つけないような構成は、これまで検討されていなかった。
【０００４】
因みに、通常の網を有している捕獲用器具は、白色、赤色、青色などの目立ち易いカラーであり、しかも金属を素材とするか、又はプラスチックのうち変形し難い素材を採用しているが、前記各色では、魚が捕獲に気付き、捕獲用器具から逃れようとするため、スムーズに捕獲することが困難であり、しかも前記の素材では、捕獲に際し、魚の身体と接触した場合に、表面の鱗などを所定の確率を以って損傷する危険を免れることができない。
【特許文献１】実開昭５７−２０８７４号公報。
【考案の開示】
【考案が解決しようとする課題】
【０００５】
本考案は、遊泳中の魚を捕獲する際、可能な限り魚に気付かれない状態にて捕獲を実現し、しかも捕獲した際、可能な限り魚の身体表面の鱗などを損傷しないような魚捕獲用器具の構成を提供することを課題としている。
【課題を解決するための手段】
【０００６】
前記課題を解決するため、本考案の構成は、黒色の枠に黒色の網を結合した魚捕獲用器具であって、前記網は、折り曲げ自在の糸を素材とすることによって、枠から垂下することが可能であり、かつ六角形状を構成単位としていることに基づく魚捕獲用器具からなる。
【考案の効果】
【０００７】
本考案においては、枠及び網が黒色であることから、他のカラーに比し、魚に捕獲を気付かれる確率を小さくすることができ、しかも枠から垂下することが可能であって、かつ変形自在の糸を素材とするハニカム形状を単位とする網を採用しているため、捕獲に際し、鱗などの魚の身体表皮に対する損傷を可能な限り少なくすることができる。
【考案を実施するための最良の形態】
【０００８】
図３は、本考案の典型的な実施形態を示すが、枠２及び網１の部分だけでなく、枠２と接続され、かつ使用者によって把持の対象となる取手３もまた、黒色であることを特徴としている。
【０００９】
一般に、魚は、黒色に対し、最も色感が弱く、気付きにくい傾向を有しており、この点は、淡水魚及び海水魚においても共通しているが、前記実施形態においては、全てが黒色カラーを採用することによって、他のカラーよりも捕獲を十分容易とすることができる。
【００１０】
本考案の網１は、変形自在の糸を素材とし、しかも枠２から垂下した状態となることが可能であることから、魚を捕獲した際、魚が躍動しても、当該躍動に対応して自在に変形することができ、堅い金属又はプラスチックのような網に比し、鱗などの魚の身体の表面を損傷する度合いが極めて小さくすることができる。
【００１１】
他方、本考案においては、網１を構成する単位を六角形状としているが、このような形状によって、四角形状又は三角形状の場合に比し、コーナーの角度が小さく（三角形の場合にはコーナーにおける頂点の平均角度は６０°であり、四角形の場合にはコーナーにおける頂点の平均角度は９０°であるのに対し、六角形の場合にはコーナーにおける頂点の平均角度は１２０°である。）、このようなコーナーの角度が大きいことによっても、前記損傷を小さくすることができる。
【００１２】
そして、このような損傷の度合いをより少なくするためには、前記六角形状が正六角形状、即ちハニカム形状であることが好ましい。
【００１３】
網１を形成する変形自在の糸の素材としては、通常、軟質製プラスチック、天然繊維の何れをも採用することができるが、枠２に接合させる際、プラスチック製の枠２に熱融着を実現し得る点において、プラスチック製繊維の方が製造上有利である。
尚、プラスチック製繊維のうち、特にポリプロピレン製繊維は、一方では変形自在であり、他方では融点が比較的高く（約１６３℃）、事後の消毒の為に沸騰水中に配置しても破損しない点において、適合性を有している。
【００１４】
以下、実施例に即して説明する。
【実施例１】
【００１５】
実施例１は、図１に示すように、枠２において、網１が垂下した状態となる下方から上方の位置となるに従って、順次左右方向断面が広幅から狭幅となるように形成されることを特徴としている。
【００１６】
このように、枠２の左右方向幅が下方から上方に向かって順次狭幅となるように設計した場合には、魚を捕獲し、かつ水中内を上側に持ち上げる際、水の抵抗を少なくすることが可能となり、素早い捕獲を実現することができる。
【００１７】
尚、前記のように、左右方向幅が上側となるに従って順次狭幅とする設計を、単に枠２だけでなく、取手３部分にも適用した場合には、前記のような作用効果を更に発揮することが可能となる。
【実施例２】
【００１８】
実施例２は、図２に示すように、取手の一部領域又は全領域において、網１が垂下し得る下側面の内側に窪んだ凹部を設け、かつ当該凹部に充満した空気によって、器具全体が水中において浮上し得ることを特徴としている。
【００１９】
即ち、実施例２においては、前記凹部を下側とした状態にて、水表面に捕獲用器具を配置した場合には、捕獲用器具は、水面上に浮上しており、使用者は、当該浮上した魚捕獲用器具を把持して、直ちに捕獲作業に突入することが可能となる。
【産業上の利用可能性】
【００２０】
本考案による魚捕獲用器具は、魚を育成するための産業分野のみならず、所望する魚を調理するための産業分野においても利用することができる。
【図面の簡単な説明】
【００２１】
【図１】実施例１の構成を示しており、（ａ）は平面図であり、（ｂ）は当該平面図に対応する位置の上下方向断面図である。
【図２】実施例２の構成を示しており、（ａ）は取手の左右方向の幅が、上側から下側となるに従って、変化していない場合の実施形態を示す底面図（下方向からの平面図）及び対応する位置の上下方向断面図であって、（ｂ）は実施例１に即して、取手の左右方向の幅が、上側から下側となるに従って、変化している場合の実施形態を示す底面図（下方向からの平面図）及び対応する位置の上下方向断面図である。
【図３】本考案の実施形態を示しており、（ａ）は平面図であり、（ｂ）は側面図であり、（ｃ）は網の一部分を平面状態とした場合の平面図を示す（尚、（ａ）、（ｂ）においては、網部分については六角形状の構成単位を微細な斜視図によって表現することが困難であることから、斑点によって図示している。）。
【符号の説明】
【００２２】
１  網
２  枠
３  取手
【図１】
0003123392.tif 000003
【図２】
0003123392.tif 000004
【図３】
0003123392.tif 000005